(57)【要約】【課題】紙文書の取り扱いを日常的な動作で実現し、かつ閲覧状況に応じて見かけ上の表示領域を変更することができる画像表示装置を提案する。【解決手段】本発明の表示装置Ａは、少なくとも２つ以上の、この場合に、第１及び第２表示デバイス（液晶ディスプレイ等の表示デバイス、もしくは電子ペーパー）１及び２が設置可能な構成となっている。さらには、第１及び第２表示デバイス１及び２に表示する文書や画像の記憶を行うＲＯＭ及び表示のための一時的な記憶を行うＲＡＭにより構成されるメモリ４、表示のためのドライバ３、複数の表示デバイスの相対的な位置を検出し、かつこの位置の変化から、移動可能な表示デバイスに加えられた動作を検出する動作検出手段７及び全体の動作を制御するＣＰＵ６、さらには、それらの動作に必要な電力を供給する電源５を有している。【選択図】図１
2008003521.tif 000002
【特許請求の範囲】
【請求項１】
複数の表示デバイスからなる画像表示装置において、前記表示デバイスの少なくとも１つはスライド自在の構成を有することを特徴とする画像表示装置。
【請求項２】
前記表示デバイスの位置及び移動を検知するための位置検出手段と、前記位置検出手段による検出結果に基づき表示内容を制御する制御手段を有することを特徴とする請求項１記載の画像表示装置。
【請求項３】
複数の表示デバイスの重なり量を検出する重なり量検出手段を備え、前記制御手段は検出された重なり量に応じて表示範囲を制御することを特徴とする請求項１又は２記載の画像表示装置。
【請求項４】
前記位置検出手段が往復スライド動作を検出した時、表示内容の更新を行うことを特徴とする請求項１又は２記載の画像表示装置。
【請求項５】
前記制御手段は、往復スライド動作における前記表示デバイスの移動速度及び／又は移動幅に応じて表示内容の更新を制御することを特徴とする請求項１乃至４のいずれか１項記載の画像表示装置。
【請求項６】
特定の表示デバイスの情報のみを更新するモードと複数の表示デバイスの内容を更新するモードを少なくとも有し、前記モードを切り換えるモード切り換え手段を備えることを特徴とする請求項１乃至５のいずれか１項記載の画像表示装置。
【請求項７】
前記スライド動作の移動方向により表示内容を異ならせることを特徴とする請求項１乃至６のいずれか１項記載の画像表示装置。
【請求項８】
前記制御手段は、互いにスライド可能な複数の表示デバイスの相対的な位置関係とスライド動作に応じて表示内容を制御することを特徴とする請求項１乃至６のいずれか１項記載の画像表示装置。
【発明の詳細な説明】
【技術分野】
【０００１】
本発明は、電子ブックや携帯情報装置に用いられる画像表示装置に関するものである。
【背景技術】
【０００２】
近年、電子ブックとよばれる情報機器が製品化されている。電子ブックは紙を束ねた旧来の本の形態では物理的に困難な膨大な情報の蓄積と表示を可能にしている。
電子ブックは液晶ディスプレイ等のフラットパネルディスプレイを用いた表示部と情報の保持部を備えた形態が一般的であるが、１つのディスプレイ上で多くの頁情報を扱うという制限があるため、情報機器としての使い勝手の向上や新たなインターフェースの開発が試みられている。
【０００３】
情報機器のディスプレイ部に接触させた指の接触圧力や接触面積、接触位置などを検出して頁を更新する機能を付加したユーザインターフェイスが提案されている（例えば、特許文献１乃至４参照）。
特許文献１には、液晶ディスプレイなどの表示部に触れた指の接触と移動方向から、頁めくり入力の有無を判断し、頁めくり入力がなされたと判断された場合に、現在表示部に出力されている頁の画像情報をその前後いずれかの頁の画像情報に更新する情報機器が開示されている。
一方、上記電子ブックを旧来の紙の感覚で実現しようとする新たなデバイスとして現在注目されているのがフレキシブルな電子ペーパーである。
【０００４】
特許文献２には、表示部に加えられた曲がりの方向、曲がりの量及び曲がりの継続時間などを検出し、検出された量から頁めくり入力の有無を判断し、頁めくりを行うものが提案されている。この方法は、屈曲性のあるフレキシブル表示デバイスに限定され、屈曲性がない、もしくは低い表示デバイスには使用できない。
特許文献３には、加速度センサを利用して、上下左右の急な動きを検出し頁めくりを行うユーザインターフェイスの技術が提案されている。しかし、ユーザが紙文書を取り扱う時に行う日常動作と大きく異なるため、誤操作をし易いといった問題がある。
特許文献４には、ジャイロスコープを利用した方法も提案されている。この方法では前後の頁を見るためには電子ブックを左又は右回転させ裏返す必要があり、連続的に頁めくりを行うための動作が大きく操作に問題があった。
【特許文献１】特開２０００−１６３１９３公報
【特許文献２】特開２００４−３１８１２３公報
【特許文献３】特開２００２−２８７７２９公報
【特許文献４】特開２００３−２１６３００公報
【発明の開示】
【発明が解決しようとする課題】
【０００５】
しかしながら、近年製品化されている電子ブックや携帯情報端末には、液晶などの表示デバイスを使用した比較的屈曲性のない表示デバイスや、電子ペーパーと呼ばれる屈曲性の高い表示デバイスなどが存在する。
いずれの表示デバイスにおいても、ユーザが日常的な感覚で操作できることが好ましく、そうしたユーザインターフェイスを実現することが、こうした表示装置を普及させる上で非常に重要である。
とくに、電子ブックと称せられる情報表示装置においては、名前のとおり、紙により作成された書籍を取り扱う時と同等の操作性で、操作できることが好ましい。しかし、一口に紙書類といってもその形態によって要求される操作性が異なる場合がある。
【０００６】
例えば、製本された書籍、例えば、文庫本のようなものを取り扱う時と、コピーされた会議資料のように、書類の束として重ねられた文書を取り扱う時では、使い方が異なっている。
つまり、前者は順次ページ送りをしていけばよく、その場合には、特許文献１及び２が実現しようとしているような、指によりページの端を摘むのに似た動作が近いと言える。
しかし、後者の場合は、前者同様の読み方の他に、書類の束を多少の重なりをもって広げ、見えている部分に書かれている情報から、興味のある目的のページを引き出すような動作を行うこともある。
【０００７】
また、紙文書がそうであるように、電子ブックもいろいろな環境において文章を読むことが想定される。例えば、混雑した電車の中で通勤客が新聞を折り畳んで読むような環境では、よりコンパクトな表示形態である電子ペーパーが要求され、逆に机の上では、ゆったりと新聞を広げて読むように、一度に多くの情報を閲覧したいという要求もある。こうした、要求を１つの表示デバイスで実現できるのであれば、表示装置として非常に好適な形態といえる。
そこで、本発明の目的は、上述した実情を考慮して、上述のような紙文書の取り扱いを日常的な動作で実現し、かつ閲覧状況に応じて見かけ上の表示領域を変更することができる画像表示装置を提案することにある。
【課題を解決するための手段】
【０００８】
上記の課題を解決するために、請求項１に記載の発明は、複数の表示デバイスからなる画像表示装置において、前記表示デバイスの少なくとも１つはスライド自在の構成を有することを特徴とする。
また、請求項２に記載の発明は、前記表示デバイスの位置及び移動を検知するための位置検出手段と、前記位置検出手段による検出結果に基づき表示内容を制御する制御手段を有することを特徴とする。
また、請求項３に記載の発明は、複数の表示デバイスの重なり量を検出する重なり量検出手段を備え、前記制御手段は検出された重なり量に応じて表示範囲を制御する請求項１又は２記載の画像表示装置を特徴とする。
また、請求項４に記載の発明は、前記位置検出手段が往復スライド動作を検出した時、表示内容の更新を行う請求項１又は２記載の画像表示装置を特徴とする。
【０００９】
また、請求項５に記載の発明は、前記制御手段が、往復スライド動作における前記表示デバイスの移動速度及び／又は移動幅に応じて表示内容の更新を制御する請求項１乃至４のいずれか１項記載の画像表示装置を特徴とする。
また、請求項６に記載の発明は、特定の表示デバイスの情報のみを更新するモードと複数の表示デバイスの内容を更新するモードを少なくとも有し、前記モードを切り換えるモード切り換え手段を備える請求項１乃至５のいずれか１項記載の画像表示装置を特徴とする。
また、請求項７に記載の発明は、前記スライド動作の移動方向により表示内容を異ならせる請求項１乃至６のいずれか１項記載の画像表示装置を特徴とする。
また、請求項８に記載の発明は、前記制御手段は、互いにスライド可能な複数の表示デバイスの相対的な位置関係とスライド動作に応じて表示内容を制御する請求項１乃至６のいずれか１項記載の画像表示装置を特徴とする。
【発明の効果】
【００１０】
本発明によれば、複数の表示デバイスにより構成された画像表示装置において、表示デバイスをスライド可能としているので、必要に応じて閲覧可能な表示領域を調整することができる。つまり、閲覧するために画像表示装置を広げるのに十分なスペースが確保できない場合（例えば、混雑した電車の中で閲覧するような場合）には、表示領域を狭くして使用し、そうでない場合には、表示デバイスをスライドにより引き出し、表示領域を広くして使用することができる。
【発明を実施するための最良の形態】
【００１１】
以下、図面を参照して、本発明の実施の形態を詳細に説明する。図１は本発明に関わる画像表示装置の第１の実施の形態を示すブロック図である。図１に示す本発明の表示装置Ａは、少なくとも２つ以上の、この場合に、第１及び第２表示デバイス（液晶ディスプレイ等の表示デバイス、もしくは電子ペーパー）１及び２が設置可能な構成となっている。
さらには、第１及び第２表示デバイス１及び２に表示する文書や画像の記憶を行うＲＯＭ及び表示のための一時的な記憶を行うＲＡＭにより構成されるメモリ４、表示のためのドライバ３、複数の表示デバイスの相対的な位置を検出し、かつこの位置の変化から、移動可能な表示デバイスに加えられた動作を検出する動作検出手段７及び全体の動作を制御するＣＰＵ６、さらには、それらの動作に必要な電力を供給する電源５を有している。
【００１２】
図２は本発明に関わる画像表示装置の第２の実施の形態を示すブロック図である。図２では、第１及び第２表示デバイス１及び２に加える移動動作と組み合わせて使用することで新たな機能を発現させるための、例えば、ボタンなどの入力手段８を構成要素として加えている。
【００１３】
図３は本発明に関わる画像表示装置の第３の実施の形態を示すブロック図である。図３では、図１及び図２とは異なり、膨大なページ情報を記憶したメモリ９を外部装置として分離し、画像表示装置本体とは無線通信手段（例えば、赤外線、ブルートゥース（Ｂｌｕｅｔｏｏｔｈ）などの通信手段）により表示データの通信を行う送受信機１０及び１１を備えている。
また、表示デバイス側装置には、表示を書き換えるためのデータを一時記憶する書き換え用メモリ８ａが設けられている。さらに、膨大なページ情報を記憶したメモリ９を制御するＣＰＵ６ａが加えられている。
【００１４】
図３の構成とすることにより、表示するための膨大なページ情報を記憶する記憶装置としてハードディスクなどの大容量記憶デバイスを使用しても、操作者が書類を閲覧するために直接保持する表示部分のサイズを大きくせずに済ませることができる。
とくに、カラー画像をこの画像表示装置Ａで使用する場合には、情報量が増えるので、図１及び図２で示した構成では、記憶装置が大きくなるため、装置の小型化が困難となるが、図３の構成であれば、そうした問題を回避することができる。図１乃至図３に示した画像表示装置Ａの構成は個々の図でとくに示した構成を除いて図１に示した構成と同じであるので、図１と同一部分に同一符号を付して説明を省略する。
【００１５】
図４は本発明の画像表示装置の第１の実施の形態の構成と表示例を示す概略図である。図５は図４に示した画像表示装置の表示デバイス支持部を示す概略断面図である。図６は表示デバイスの１部分を示す概略断面である。
図４乃至図６を参照して、この画像表示装置Ａは、第１表示デバイス１及び第２表示デバイス２の２つの表示デバイスにより構成されている。図４では、第１表示デバイス１には、Ｐａｇｅ（ページ）５の内容が表示され、第２表示デバイス２にはｐａｇｅ（ページ）６の内容が表示されている。
【００１６】
第１表示デバイス１右端は、新たな機能を発現させるためのボタンなどの入力手段８を下方に備えて表示デバイス支持体１２に固定されており、第２表示デバイス２は、スライド（摺動）的に移動可能なように構成されている。
つまり、第１及び第２表示デバイス１と２を重ねて第１表示デバイス１のみが見える状態から、第２表示デバイス２をスライドさせて２つの表示デバイス１と２をほぼ並置した状態で２画面を見ることも可能としている。
当然のことながら、第２表示デバイス２が半分隠れたような（図示したような状態）状態での使用も可能である。つまり、本発明の画像表示装置Ａは、実質的な表示サイズを変更することが可能な画像表示装置となっている。
【００１７】
これにより、混雑した電車の中で新聞を折り畳んで読むのと同様に、書類を閲覧するスペースが十分に確保できない状態では、表示エリアを第１表示デバイス１のみか、又は必要に応じて第２表示デバイス２を若干引き出す程度の状態で書類を閲覧し、机の上のようにスペースが十分に確保できる環境では、第２表示デバイス２を全て引き出した状態で閲覧するといった使用が可能となる。
さらに、画像表示装置Ａの機械的な構成について説明する。図５は、図４に示した画像表示装置の表示デバイス支持部１２の断面を示したものである。この表示デバイス支持部１２には、第１及び第２表示デバイス１及び２を取り付けるための取り付け溝１２ａ、１２ｂが設けられている。
【００１８】
図５の右側の取り付け溝１２ｂは第１表示デバイス１を設置するための溝であり、図示しない固定具により固定されている。ただし、前記表示デバイス支持部１２には表示デバイスの書き換えのための電子的な接続を行う接点１３が設けられており、この接点１３を通して表示デバイスの書き換えが行われる。
図５の左側に位置するＴ字状の取り付け溝１２ａは、図４に示す第２表示デバイス２をスライド可能な状態で設置するための溝である。Ｔ字状の取り付け溝１２ａに図６に示すような表示デバイス（この場合に第２表示デバイス２）を嵌め込むことにより、スライド動作を可能としている。
図５のＴ字状溝部１２ａには板ばね１４が設けられており、第２表示デバイス２（図６）を図面下方向へ押し付ける圧力を発生させている。Ｔ字状の取り付け溝１２ａ及び図６の第２表示デバイス２には書き換えのための電子的な接続を行う接点１５及び１６が設けられており、これらを確実に接触させることができるようになっている。
【００１９】
また、図６に示した第２表示デバイス２の側面には、この第２表示デバイス２の位置を検出するために使用される位置検出用マーク１７が形成されている。この位置検出用マーク１７は光学的な検出を行うためのマーク（例えば、ラダーパターン）が形成されているか、もしくは磁気的な検出を行うための磁気パターンであってもよい。
図５のＴ字状溝１２ａ部分には、前記光学もしくは磁気的な位置検出用マーク１７を検出するための位置検出器１８が設けられている。位置検出を行うための位置検出器はリニアエンコーダで一般的に用いられている技術であり、本発明はスライド動作を検出するための検出方法を特定するものではないので、検出方法に関わる詳細は省略する。
【００２０】
また、スライド動作を検出する前述の方法とは異なる方法として、特許文献３で用いられている加速度センサを使用してもよい。ただし、特許文献３とは異なり、第１表示デバイス１と第２表示デバイス２それぞれに加速度センサを設け、相対的な加速度の差を検出する。
つまり、第１表示デバイス１を基準に他の表示デバイスの加速度変化を検出し、検出された相対的な加速度の方向変化から往復スライド動作であったか否かが判断され、また加速度の大きさと、往復に掛かった時間から、ページめくり動作か否かを判別する。
【００２１】
上記方法によれば、検出する加速度変化は基準表示デバイスとの相対的な加速度の変化であるから、画像表示装置全体が振動しているような状態であっても、誤動作することなく、後述するページめくり動作を実施することができる。いずれにしても、スライド動作による表示デバイスの位置とスライド動作の速度及びその移動方向はセンサ出力を基に、図１乃至図３の動作検出手段７において算出される。
表示デバイスの位置及びスライド移動を検出するための位置検出手段１８を設け、表示デバイスの移動により表示を制御しているので、表示デバイスの移動により表示のオン／オフを制御することができ、前面の表示デバイスに隠れて見えない、表示デバイスにまで表示を行うことを回避できるので、表示装置が消費する電力を省力化することができる。
【００２２】
図７は本発明の画像表示装置の第２の実施の形態の構成と表示例を示す概略図である。図８は図７に示した画像表示装置の表示デバイス支持部を示す概略断面図である。
図８は、図７の画像表示装置の表示デバイス支持部１２の断面を示したものであり、この表示デバイス支持部１２には、第１及び第２表示デバイス１及び２がスライド可能であるようにＴ字状の溝１２ａ、１２ｃが設けられている。詳細な構成は図５で示したＴ字状の溝１２ａと同じであるので説明は省略する。
図９は本発明の画像表示装置の第３の実施の形態の構成例を示す概略図である。図１０は本発明の画像表示装置の第４の実施の形態の構成例を示す概略図である。図９及び図１０は、図４及び図７で示した画像表示装置とは異なる装置構成の例を示している。
つまり、図９及び図１０ともに、第１表示デバイス１は、その他の表示デバイス（図中では第２及び第３表示デバイス２及び２１）を格納する格納部１９、２０と一体に構成されていることが特徴となっている。
【００２３】
図９の格納部１９はハードケースにより構成されている例であり、図１０の格納部２０はフレキシブルな素地により構成されている例を示したものである。しかしながら、格納部１９、２０の素材、屈曲性については本発明を限定するものではない。図９、図１０に示すように、格納部１９、２０を設けることによって、表示デバイスが外力を受けてスライド手段から外れてしまうといった事態を避けることができる。
【００２４】
図１１は本発明による画像表示装置の表示方法に関して説明する概略図である。上述した本発明による種々の画像表示装置の表示方法について説明する。図１１は、第１表示デバイス１の後ろに、第２表示デバイス２の一部が隠れている状態を示している。
図中の点線で囲んだ部分は、各表示デバイス上に情報が表示されている領域を表している。つまり、第２表示デバイス２は、第１表示デバイス１との重なっている領域を位置検出器１８（図５及び図８）により検知し、隠れている領域には画像の書き込みを行わない。
また、第２表示デバイス２が引き出された場合には、引き出された領域部分に対して追加書き込みを行い、一度表示された領域を押し込む場合には、表示内容に変更は加えない。
【００２５】
これにより、全ての領域を書き換える場合よりも消費電力を押さえることが可能となる。また、この時、好適には第１および第２表示デバイス１と２に情報が表示された領域が、若干の重なりを持つように第２表示デバイス２の表示領域を決定する。
これにより、手のぶれにより第２表示デバイス２が若干引き出された場合にも、引き出された幅に対応する追加書き込み領域は、第１表示デバイス１に隠れた部分で行われるので、書き換えに伴う部分的なチラツキを操作者に知覚させないので、操作感を向上させることができる。
このように、スライド動作検出手段７が有する表示デバイス位置検出手段１８により、表示デバイス間の重なり領域を検出し、表側の表示デバイス（図１１では第１表示デバイス１）に隠れた部分には表示を行わないように制御する構成であるので、スライド移動により任意の重なりを持って並置された表示デバイスに対し、情報の読み取りが可能な領域のみに表示を行うことができるので、消費電力の省力化と操作性確保が図れる。
【００２６】
ページめくり方法の第１の実施の形態として、図４の画像表示装置におけるページめくり動作について、以下に説明する。本発明においてページめくりは、表示デバイスの往復スライド動作により実施する。
つまり、図４の第２表示デバイス２をいったん引き出し、再び戻すという往復スライド動作を画像表示装置Ａが検出すると、ページめくりの指示と判断し、新たな表示内容をメモリ４（例えば、図１）から読み出し、第１表示デバイス１及び２の書き換えを実施する。
【００２７】
この時、往復スライド動作における動作速度及び／又はスライド幅に基づき、ページめくり指示か否かの判定を行う。これにより、手ぶれなどにより、勝手にページがめくられるといった誤動作を回避することができる。
つまり、ゆっくりと表示デバイスを往復動作させてもページめくりは実施されないし、当然、一方向に引き出す、もしくは押し込むといった動作ではページめくりは実行されない。また、ページを進める場合と戻す場合を、スライドさせる方向により分離することができる。
【００２８】
図１２はページを進める場合の動作の第１の実施の形態を示す概略図である。図１３はページを戻す場合の動作の第１の実施の形態を示す概略図である。図１２及び図１３では第１表示デバイス１と、第２表示デバイス２が記載されている。
図４、図１２および図１３を参照して、２つの表示デバイスの位置関係が図４に示すようにあった場合、例えば、第２の表示デバイス２をいったん右方向に引き出し、再び戻す。この往復スライド動作（右→左）が検出された場合には、ページを次ページに進める（図１２）。逆に、第２の表示デバイス２を左方向に押し込み、再び戻す往復スライド動作（左→右）が検出された場合には、ページを戻す(図１３)。
【００２９】
本発明におけるページめくり動作は、操作者が第１表示デバイス１を左手で保持し、右手で第２表示デバイス２を保持した状態から、ページめくりをするようにしているので、ボタンの探索、又は表示部の一部の屈曲を行うために画像表示装置を保持している手をそれから離すことなくページめくりを実施することができる。
従来のボタンなどによりページめくりを行う場合には、表示媒体の持ち替えやボタンを押す動作が必要となるので、書類の内容に向けていた集中が途切れてしまっていたが、本発明によれば、画像表示装置を持ち替えたり、ボタンを探すといった動作が必要ないので、読書に集中していた状態を切らすことなく、ページめくりを実施することができる。
また、スライドさせるという動作は、書類の束から１ページを引き出す日常的動作と基本的に同じであり、操作者に対し、紙文書を扱う時と同等の操作感を与えることができる。
【００３０】
上述したように、スライド動作検出手段７を設け、このスライド動作検出手段７が往復スライド動作と判断した場合にページめくりを実施させているので、画像表示装置を、本を持つ時と同様に両手で保持した状態から、手を離すことなく、ページめくりを実行することが可能となるので、表示情報に向けていた集中状態を切ることなく、ページめくりを実行することができる。
【００３１】
図１４はページめくり方法の第１の実施の形態の処理の流れを説明するフローチャートである。図１５は図１４のページ送り動作が選択された場合の処理を説明するフローチャートである。
図１、図１４及び図１５を参照して、本発明の画像表示装置Ａでは、図１に記載した動作検出手段７が常に表示デバイスが移動したか否かの検出を行い（Ｓ１）、移動を検出した場合には、その移動が往復動作であったか否かを判断する（Ｓ２）。往復動作ではない場合にはステップ（Ｓ１）へ戻って移動の検出を継続する。
往復動作である場合には、移動動作における移動速度、移動幅、移動方向を動作検出手段７から取得（Ｓ３）し、移動速度が閾値以上であるか（Ｓ４）、移動幅が閾値以上であるか（Ｓ５）を判定する。ステップ（Ｓ４、Ｓ５）において閾値以下である場合には、ページめくり動作ではないと判断し、ステップ（Ｓ１）へ戻る。
次に、移動方向は右から左への往復であったか（Ｓ６）を判定し、判定結果に基づきページ送り動作（Ｓ８）、もしくはページ戻しの動作（Ｓ７）を選択する。
【００３２】
図１５は図１４でページ送り動作（Ｓ８）が選択された場合の処理を説明するものである。ページ送り動作（Ｓ８）が選択されると、図１に示すように、画像表示装置Ａに設置されている表示デバイスの数を検出し、その数をメモリ４上にセットする（表示デバイス数が固定の場合には、検出の必要はない）。
また、後段で表示内容を書き換える表示デバイス番号を指定するためのパラメータｉをｉ＝１として初期値をセットする（Ｓ１０）。次に、ステップ（Ｓ１１）において、ｉ＝ｉ＋１とカウントアップし、表示デバイスｉの内容を用いて、表示デバイス（ｉ−１）を書き換える。ステップ（Ｓ１１）の処理をｉ＝Ｎとなるまで繰り返す（Ｓ１２）。
【００３３】
表示デバイス番号Ｎに現在表示されているページ番号Ｐを検出（Ｓ１３）し、ページ番号Ｐ＋１のデータをメモリ４から読み出す（Ｓ１４）。読み出したＰ＋１ページの画像情報を用いて表示デバイスＮを書き換える（Ｓ１５）。以上のステップにより全ての表示デバイスの内容が１ページ分送られる。ページ戻し動作は、ページ送り動作と基本的に同等なので説明は省略する。
このように、スライド動作検出手段７を設け、検出した往復スライド動作における、スライドによる移動速度及び／又は移動幅によりページめくり動作の指示か否かを判別したうえでページめくりを実施するので、表示デバイスを保持していたユーザの手ブレなどにより誤ってページめくりが実行されるといった事態を回避することができる。
【００３４】
図１６はページを進める場合の動作の第２の実施の形態を示す概略図である。図１７は第２の実施の形態における組み合わせ例を概略図である。図１６及び図１７では第１表示デバイス１と、第２表示デバイス２が記載されている。
図７及び図１６は、図４、図１２及び図１３で説明したページめくり方法とは異なる方法を説明するためのものである。図７の実施の形態は、図４の実施の形態とは異なり、第１表示デバイス１も第２表示デバイス２同様に、表示デバイス支持体１２に対しスライド可能に構成されている。
従って、第２表示デバイス２は、図４に示すように、第１表示デバイス１の右側に配置された状態から、図７に示すような第１表示デバイス１の左側に配置変換することが可能となっている。
【００３５】
図７で示す画像表示装置Ａでは、第２表示デバイス２を第１表示デバイス１の右側から左側へ移動させることにより、表示ページの切り換えを行うことができる。
図４では、第１表示デバイス１にＰａｇｅ５、第２表示デバイス２にＰａｇｅ６が表示されており、これを図７に示す状態に、各表示デバイス１、２をスライド移動させることで、第２表示デバイス２の表示内容を、Ｐａｇｅ６からＰａｇｅ（ページ）４へ書き換えている。
図１６は、上記説明に加え、ページを戻す操作を繰り返し行う場合には、第２表示デバイス２が第１表示デバイス１の左側にある状態で、往復スライド動作させることでページを戻す様子を示している。
この実施の形態では、第１の実施の形態で行ったような、往復スライド動作を行う時のスライド方向の検出を行う必要はなく、第１及び第２表示デバイス１と２の相対的な位置関係を求めておくことで、ページを進めるのか戻すのかの切り換えを行うことができる。
【００３６】
図１７は、ページめくりの第２の実施の形態における組み合わせ例を示したものである。これにより、紙の書類を閲覧している時、他のページを抜き出し、そこに記載された内容（例えば、図表）を参考にするといった日常的な閲覧動作を、本発明の画像表示装置でも実現することができる。
図１８はページめくり方法の第２の実施の形態におけるページめくり処理を説明するフローチャートである。ステップ（Ｓ２０）乃至（Ｓ２４）は、図１５のステップ（Ｓ１）乃至（Ｓ５）と同等であるので説明は省略する。
ステップ（Ｓ２５）において、移動した表示デバイスが第１表示デバイス１（説明上、第１表示デバイス１を基準とする）の左側にあるのか、右側にあるのかを判定する。判定結果に基づいて、ページ送り動作（Ｓ２７）もしくはページ戻し動作（Ｓ２６）かを選択する。
【００３７】
図１９はボタンを押しながらのページの切り換わりの様子を示す概略図である。図２０はページめくり第１の実施の形態のページを戻す動作と組み合わせた例を示す概略図である。
次に、ページめくり方法の第３の実施の形態について説明する。図４及び図７の表示デバイス支持体１２には、ボタン８を備えている。このボタン８は、ページめくり方法の第１及び第２の実施の形態で説明したスライド動作と組み合わせることにより、以下に説明するページめくり動作を可能にするためのものである。
図１９には、ボタン８を押しながら、第２表示デバイス２をいったん右側に引き出し、再び戻すスライド動作（右→左）を行った場合の、ページの切り換わりの様子を示している。
つまり、ボタン８を押しながらスライド動作を行った場合には、第１表示デバイス１の表示内容を変更しない。これは、図示したようなボタンに限定するものではなく、スイッチであってもよく、上記動作を行わせるために、スライド動作と組み合わせる方法は限定しない。
【００３８】
図２０には、ページめくり方法の第１の実施の形態のページを戻す動作と組み合わせた例示している。これにより、紙の書類を閲覧している時、他のページを抜き出し、そこに記載された内容（たとえば、図表）を参考にするといった日常的な閲覧動作を、本発明の画像表示装置でも実現することができる。
なお、ボタン押下状態でページめくりを行った後、ボタン８を押さない状態でページめくりを行った場合には、第１及び第２の実施の形態で説明したページめくり動作が実施され、第１表示デバイス１を基準とした連続的なページが表示される。
従来の表示装置では、このような表示方法を行うためには複数のボタン操作により指定する必要があり、操作が複雑になるとともに、紙書類の取り扱いとは大きく異なる動作であるため、ボタンの押し間違いなどを発生させる原因ともなっており、操作性を低下させていた。
【００３９】
本発明の第３の実施の形態によれば、現在閲覧中の表示ページは固定して（変えずに）、他の表示デバイスに表示されているページ内容のみを切り換える表示を、１ボタンのみの押下と書類を束から引き出す日常的な動作と類似したスライド動作により実現することができ、操作性の高い表示装置を提供することができる。
また、特定の表示デバイスのみの表示情報を切り換えるモードと複数の表示デバイスの表示情報を切り換えるモードを持つようにしたので、連続したページを順次ページめくりを行う、製本された書籍のページをめくるのに相当した使用方法のほか、大きくページ番号の異なるページ情報を並置して見比べる、束になった書類から興味のあるページを抜き出して閲覧する使用法が可能となり、画像表示装置の操作性を紙文書の操作性に近づけることができ、操作性の向上を図ることができる。
【００４０】
図２１はページ送り動作が選択された場合の処理の流れを説明するフローチャートである。ページめくり方法の第３の実施の形態におけるページめくり処理を説明する。
ページめくり方法の第３の実施の形態は図１４のページ送り動作（Ｓ８）もしくはページ戻し動作（Ｓ７）を選択するまでは、第１の実施の形態及び第２の実施の形態と同等であるので説明は省略する。
図２１を参照して、ページ送り動作が選択された場合の処理の流れを説明する。ページ送り動作が選択された時、ステップ（Ｓ３０）においてボタン８（図４）が押されているか否かを判断する。ボタン８が押されていない場合は、図１５で説明したページめくり動作のステップ（Ｓ１０）乃至（Ｓ１５）と同等である。
【００４１】
ボタン８が押された場合には、スライド動作した表示デバイスの番号ｉを検出し（Ｓ３１）、表示デバイスｉに表示されているページ番号Ｐを検出する（Ｓ３２）。メモリ４（図１）からページ番号Ｐ＋１の画像情報を読み出し（Ｓ３３）、表示デバイスｉの内容を読み出したページ番号Ｐ＋１の情報内容で書き換えを行う（Ｓ３４）。
このように、スライド動作検出手段７を設け、往復スライド動作においてスライドさせる方向により、ページを送るのか戻すのか選択させているので、書類の束から書類を引き出すのと類似した日常動作により、ページ送り、戻しを自在に操作することが可能となり、操作性の向上を図ることができる。
【００４２】
また、互いにスライド可能な複数の表示デバイスの相対的な位置関係とスライド動作により表示内容を異ならせるようにしたので、例えば、基準表示デバイスに対して、他の表示デバイスが右側にある状態で行う往復スライド動作と、左側にある時の往復スライド動作に対する意味（ページを送るか又はページを戻す）を異ならすことができる。
これは、紙文書をページ順に並べる場合に、左側から順に並べるのと感覚的に類似しているため、上述したスライドの方向によりページめくり動作を異ならせるよりも分かり易いので、操作性の高い画像表示装置を構成できる。
【００４３】
本発明の構成の形態の例を図４、図７、図９、及び図１０を用いて説明したが、本発明が提案するところは、これに限定するものではない。図４、図７、図９、及び図１０の構成では、スライドを行うための機構を備えた形態となっているが、この機構は必ずしも必要ではなく、各表示デバイスに書き換え機能を有し、少なくとも１つの表示デバイスに他の表示デバイスとの相対的な位置及びその変化を検出する機能を備えてもよい。
これにより、独立した表示デバイスを、あたかも１枚の紙文書のように取り扱うのと同様な日常的動作により、膨大な文書情報を少数の表示デバイスにより表示させることができる。
【図面の簡単な説明】
【００４４】
【図１】本発明に関わる画像表示装置の第１の実施の形態を示すブロック図である。
【図２】本発明に関わる画像表示装置の第２の実施の形態を示すブロック図である。
【図３】本発明に関わる画像表示装置の第３の実施の形態を示すブロック図である。
【図４】本発明の画像表示装置の第１の実施の形態の構成と表示例を示す概略図である。
【図５】図５は図４に示した画像表示装置の表示デバイス支持部を示す概略断面図である。
【図６】表示デバイスの１部分を示す概略断面図である。
【図７】本発明の画像表示装置の第２の実施の形態の構成と表示例を示す概略図である。
【図８】図７に示した画像表示装置の表示デバイス支持部を示す概略断面図である。
【図９】本発明の画像表示装置の第３の実施の形態の構成例を示す概略図である。
【図１０】本発明の画像表示装置の第４の実施の形態の構成例を示す概略図である。
【図１１】本発明による画像表示装置の表示方法に関して説明する概略図である。
【図１２】ページを進める場合の動作の第１の実施の形態を示す概略図である。
【図１３】ページを戻す場合の動作の第１の実施の形態を示す概略図である。
【図１４】ページめくり方法の第１の実施の形態の処理の流れを説明するフローチャートである。
【図１５】図１４のページ送り動作が選択された場合の処理を説明するフローチャートである。
【図１６】ページを進める場合の動作の第２の実施の形態を示す概略図である。
【図１７】第２の実施の形態における組み合わせ例を概略図である。
【図１８】ページめくり方法の第２の実施の形態におけるページめくり処理を説明するフローチャートである。
【図１９】ボタンを押しながらのページの切り換わりの様子を示す概略図である。
【図２０】ページめくり第１の実施の形態のページを戻す動作と組み合わせた例を示す概略図である。
【図２１】ページ送り動作が選択された場合の処理の流れを説明するフローチャートである。
【符号の説明】
【００４５】
Ａ  画像表示装置
１  第１表示デバイス  
２  第２表示デバイス
４  メモリ
６  制御手段（ＣＰＵ）
７  動作検出手段（重なり量検出手段）
８  入力手段（ボタン、モード切り換え手段）
８ａ  書き換え用メモリ
９  メモリ
１２  表示デバイス支持体
１２ａ  取り付け溝
１２ｂ  取り付け溝
１３  接点
１５  接点
１６  表示デバイス側接点
１７  位置検出用マーク
１８  位置検出手段（位置検出器）
１９  格納部
２０  フレキシブルな格納部
２１  第３表示デバイス
【図１】
2008003521.tif 000003
【図２】
2008003521.tif 000004
【図３】
2008003521.tif 000005
【図４】
2008003521.tif 000006
【図５】
2008003521.tif 000007
【図６】
2008003521.tif 000008
【図７】
2008003521.tif 000009
【図８】
2008003521.tif 000010
【図９】
2008003521.tif 000011
【図１０】
2008003521.tif 000012
【図１１】
2008003521.tif 000013
【図１２】
2008003521.tif 000014
【図１３】
2008003521.tif 000015
【図１４】
2008003521.tif 000016
【図１５】
2008003521.tif 000017
【図１６】
2008003521.tif 000018
【図１７】
2008003521.tif 000019
【図１８】
2008003521.tif 000020
【図１９】
2008003521.tif 000021
【図２０】
2008003521.tif 000022
【図２１】
2008003521.tif 000023